(57)【要約】      （修正有）【課題】歯の模型を製作する際の咬合状況の改善を図ると同時に更に実用性を高めるべく、歯の模型の固定架の構造を提供する。【解決手段】Ｌ字型台座１０に枢設ブロック、ユニバーサルジョイント１４３、第一及び第二定位ブロック１４１，１３、第一及び第二微調整構造、並びに微調整装置４０を設け、第一定位ブロックをユニバーサルジョイントに連結させ、ユニバーサルジョイントを枢設ブロックと連結させ、模型台座上には鉄片と定位孔を設ける。【選択図】図３
0003133306.tif 000002
【実用新案登録請求の範囲】
【請求項１】
Ｌ字型台座、枢設ブロック、ユニバーサルジョイント、第一定位ブロック、第二定位ブロック、第一微調整構造、微調整装置、第二微調整構造よりなる歯の模型の固定架の構造において、
前記Ｌ字型台座は底辺より上方に延伸する二つの側面を形成し、更に延伸した側面の上端には桁を形成し、前記桁の両端には固定溝を具有し、
前記枢設ブロックは枢設棒とコネクタを含み、該枢設棒の両側が前記桁の固定溝に枢設され、
前記ユニバーサルジョイントは一端が前記枢設ブロックのコネクタに連結され、
前記第一定位ブロックは突起部並びに一つ以上の定位突起部を含み、該突起部内には磁石を設けることでユニバーサルジョイントと連結され、
前記第二定位ブロックは突起部及び一つ以上の定位突起部を含み、該突起部内には磁石を設け、該Ｌ字型台座の底辺に位置し、
前記第一微調整構造は接触部を含み、該接触部は該枢設ブロックに接続され、調整ボタンが前記桁に穿設されて一端が該接触部と密着し、
前記微調整装置はＬ字型台座の底部に設置され、
前記第二微調整構造は該Ｌ字型台座と該枢設ブロックとの間に設置されることを特徴とする歯の模型の固定架の構造。
【請求項２】
前記ユニバーサルジョイントは二組のボールバルブと軸、並びに挟持部を具有し、
一組目の該軸の一端にはボールバルブが連結され、もう一端は前記枢設ブロックに枢設され、
別の一組の該軸の一端にもボールバルブが連結され、もう一端は前記定位ブロックに枢設され、
前記挟持部は二つの挟持ブロック、並びに該挟持部のしめつけを調整する調整ボルトから成り、該調整ボルトは該二つの挟持ブロックを穿設し、該二つの挟持ブロックの向き合う内側には該第一コネクタと第二コネクタのボールバルブを設置する個所として二つの溝を具有することを特徴とする請求項１記載の歯の模型の固定架の構造。
【請求項３】
前記第一定位ブロックは三つの定位突起部を具有することを特徴とする請求項１記載の歯の模型の固定架の構造。
【請求項４】
前記定位突起部は椎形を呈することを特徴とする請求項１或いは請求項３記載の歯の模型の固定架の構造。
【請求項５】
前記第二微調整構造は伸縮棒を具有し、該伸縮棒の一端は前記Ｌ字型台座上に設置され、もう一端は前記枢設ブロックに密着し、且つ該伸縮棒には該伸縮棒の長さを調整する調整ボタンを具有することを特徴とする請求項１記載の歯の模型の固定架の構造。
【考案の詳細な説明】
【技術分野】
【０００１】
本考案は歯の模型の固定架の構造に係り、特にユニバーサルジョイント等を用いることで観察用の歯の模型を製作する際の咬合状況を改善し、実用性の高い歯の模型の固定架の構造に関わる。
【背景技術】
【０００２】
公知における歯の模型の固定架の例として、図１に示すような歯の模型の固定架９０は、台座９１の上段に上台座９２が枢設され、下段には下台座９３がされており、該上台座９２と該下台座９３はそれぞれ定位ブロック９２１、９３１を含み、更に該定位ブロック９２１、９３１には磁性を具有する部品を設けることで、定型の歯の模型Ｔを該上下両台座に設置する。該上台座９２と該台座９１との枢設個所で回転し、該歯の模型Ｔの上顎の咬合の様子を観察することができるようになっており、該上台座９２の前後には高さや開閉の高さを調整する微調整装置９４，９５が設けられ、該微調整装置９４，９５で位置の調整を行い、技師や歯科医が実際の咬合の様子をシミュレーションすることができるようになっている。
図２に示すように、製作時には鉄片を台座の磁石に設置し、歯の模型はゴムのパッキン等を該上下台座に設置した後、型Ａに石膏を流して台座Ｔ１とし、予め作られた歯の模型をそこに設置し、乾いてから該型Ａを取り外し、該歯の模型Ｔが完成する。もう一方の咬合する台座Ｔ２も同様にして設けることで対称となる歯の模型Ｔ´が完成する。
【特許文献１】特開２００４−２８３２５９号公報
【考案の開示】
【考案が解決しようとする課題】
【０００３】
しかし上述のような従来の歯の模型の固定架を使用するに当たり、不都合な点がいくつかある。
先ず石膏で形成した歯の模型は、凝固ならびに収縮する際の周りの条件で収縮の比率が異なり、咬合にわずかな誤差が生じ、義歯の精密度に影響が出てしまう。それぞれの歯の模型の固定架の加工過程において誤差が生じることから、他の歯の模型は他の歯の模型の固定架に転用することができず、よって義歯がある程度完成するのを待ってからでないと次の義歯を作ることができない。また歯の模型が完成したら、固定架ごと歯科医へ届けることで患者と咬合の状況を確認している、つまり模型を固定架と共に送り出してしまうことですぐに該固定架を次の製作に回せず、時間のロスがあることが挙げられる。
そこで上述の欠点に鑑み、歯の模型を製作する際の咬合状況の改善を図ると同時に更に実用性を高めるべく本考案の歯の模型の固定架の構造を提供する。
【課題を解決するための手段】
【０００４】
L字型台座を設けるが、該L字型台座には底辺、枢設ブロック、ユニバーサルジョイント、第一定位ブロック、第二定位ブロック、第一微調整構造、第二微調整構造、及び微調整装置を含み、該L字型台座の底辺からは両側に延伸する側面を形成し、更に延伸した上端には桁を形成し、該桁の両端には固定溝を設け、該枢設ブロックには枢設棒とコネクタを設け、該枢設棒両側は該桁の固定溝に枢設し、該ユニバーサルジョイントにおいては一端を該枢設ブロックのコネクタに連結し、該第一定位ブロックには突起部と一つ以上の定位突起部を設け、該突起部内には該突起部内には磁石を設け、該第一定位ブロックは該ユニバーサルジョイントに連結し、該第二定位ブロックには突起部並びに一つ以上の定位突起部を設け、該突起部内には磁石を設け、該第二定位ブロックは該台座の底辺に位置され、第一微調整構造には接触部を含み、該接触部は該枢設ブロックと接続し、該調整ボタンは該桁に穿設すると共にその一端を該接触部と密着させ、該微調整装置においては、該L字型台座底部に設置し、該第二微調整構造においては該L字型台座と該枢設ブロックとの間に設置する。
【考案の効果】
【０００５】
本考案によると、ユニバーサルジョイントにより上の歯の模型を三次元方向に動かすことができ、また実際と等比で上下させることができるようになり、型を製作する上でも誤差を生じることが避けられ、技師や歯科医が歯の模型の部品の製作が迅速且つ精巧になると同時に、歯の模型を観察しやすくなり、また該台座を送らなくとも該歯の模型を直接送ることで技師がその他の模型を作り続けることができ、作業に影響を与えない等、歯の模型の作製における精巧さと実用性を高めることに成功した。
【考案を実施するための最良の形態】
【０００６】
図３，４に示すように、本考案にはＬ字型台座１０を含み、該Ｌ字型台座１０には底辺１７、枢設ブロック１１、ユニバーサルジョイント１４３、第一定位ブロック１４１、第二定位ブロック１３、第一微調整構造２０、第二微調整構造３０、及び微調整装置４０を含む。該Ｌ字型台座１０は該底辺１７より上向きに延伸する両側面１１を具有し、更に上端には桁１２が形成され、該桁１２両端には固定溝１１１が設けられる。また該枢設ブロック１４２には枢設棒１４２Ａ及び連結部１４２Ｂを含み、該枢設棒１４２Ａ両側は該固定溝１１１に枢設される。該ユニバーサルジョイント１４３の一端は該枢設ブロック１４２上の連結部１４２Ｂに接続される。該第一定位ブロック１４１には突起部１６´並びに一つ以上の定位突起部１５´（第二定位ブロック参照。定位突起部と突起部は第二定位ブロックに等しい）を具有し、本実施例中では定位突起部１５を三つ設け、且つ該定位突起部１５´は椎形の突起が最も理想的な形状とする。また該突起部１６´内には磁石を設け、本実施例においては歯の模型Ｔを用いるが、該歯の模型Ｔには三つの定位孔１５１並びに陥没部１６１を設け、該陥没部１５１内には磁石にひきつけられる金属片を設けることで該定位ブロック１４１に対応するようにし、両者間の着脱をスムーズにし、定位と操作の効果を高める。また該第一定位ブロック１４１は該ユニバーサルジョイント１４３に連結され、該第二定位ブロック１３は該底辺１７上に位置し、並びに該突起部１６及び少なくとも一つ以上の定位突起部１５を含み、更に該中心突起部１６、１６´内には磁石を設け、これらの構造により、該第一定位ブロック１４１が該ユニバーサルジョイント１４３に相対して移動し、該ユニバーサルジョイント１４３は該枢設ブロックに相対して移動することから、該第一定位ブロック１４３上の歯の模型は三次元方向に移動する。
【０００７】
該ユニバーサルジョイント１４３にはボールバルブ１４３Ａ及び軸１４３Ｂにおいて、該軸１４３Ｂの一端に該ボールバルブ１４３Ａが設置され、該ボールバルブ１４３Ａは該枢設ブロック１４２の連結部１４２Ｂに枢設されることにより、該軸１４３Ｂと該枢設ブロック１４２がＴ´の関節となる。また、該ボールバルブ１４３Ｃと軸１４３Ｄは、該軸１４３Ｄの一端が該ボールバルブ１４３Ｃに接続され、該ボールバルブ１４３Ｃは該第一定位ブロック１４１に接続されることで、該第一定位ブロック１４１と該ユニバーサルジョイント１４３とが該枢設ブロック１４２に相対して移動並びに等比の割合で高くなる。更に二つの挟持部１４３Ｅと調整ボルト１４３Ｆにおいては、該調整ボルト１４３Ｆが該挟持部１４３Ｅの緩みを調整し、且つ該挟持部１４３Ｅを穿設し、該挟持部１４３Ｅの互いに向き合う内側にはそれぞれ溝１４３Ｇを設け、該ボールバルブ１４３Ａと１４３Ｃを設置し、該調整ボルト１４３Ｆが該挟持部１４３Ｅの距離を近づけると、該溝１４３Ｇ内のボールバルブ１４３Ａと１４３Ｃとが挟まれて緊密な状態となり、逆に二つの該挟持部１４３Ｅ間の距離が遠ざけられると該溝１４３Ｇ内のボールバルブが開放されて緩み、移動できる状態となる。
【０００８】
該第一微調整構造２０については、接触部２１と調整ボタン３２を含み、該接触部２１と該枢設ブロック１４２とは連結され、該調整ボルト１４３Ｆは該桁１２を穿設し、一端が該接触部２１に接触するため、調整ボタン３２を該接触部２１に接触するよう調整すると、該接触部２１が上下に移動して該枢設ブロック１４２、ユニバーサルジョイント１３、第一定位ブロック１４１を連動させる。該微調整装置４０とはＬ字型台座底部に設置され、調整ボルト４１で第二定位ブロックを左右に移動させる位置調整を行う。では第二微調整構造３０においては、伸縮棒３１を含み、一端を該Ｌ字型台座１０上に設置し、もう一端を該枢設ブロック１４２に接触させ、該伸縮棒３１には該伸縮棒の長さを調整するための調整ボタン３２を設け（図４参照）、該伸縮棒３１の長さを調整することで、上台座１４の位置を変える。即ち該第一微調整構造２０、第二微調整構造３０及び微調整装置４０により、上下それぞれの歯の模型Ｔ，Ｔ´の位置を精確に上下左右前後に微調整させる。
【０００９】
図５に示すように、該ユニバーサルジョイント１４３により上の歯の模型Ｔが矢印Ｈの示す水平方向に移動する（図６参照）。もしくは図７，８に示すように、該第一定位ブロック１４１を矢印Ｖの方向に回転させる。同様にしてユニバーサルジョイントにより三次元方向に移動するが、等比方式で該上の歯の模型を上下させることもできる。
【図面の簡単な説明】
【００１０】
【図１】公知における固定架の立体図である。
【図２】公知における歯の模型の固定架における分解図である。
【図３】本考案における実施例を示す立体図である。
【図４】本考案における実施例を示す分解図である。
【図５】本考案における実施例の動作を示す図である。
【図６】本考案における実施例の動作を示す図である。
【図７】本考案における実施例の動作を示す図である。
【図８】本考案における実施例の動作を示す図である。
【符号の説明】
【００１１】
９０  歯の模型の固定架
９１  固定台座
１４、９２  上台座
１５、９３  下台座
９２１，９３１  定位ブロック
９４，９５  調整装置
Ａ  型
Ｂ  鉄片
Ｔ，Ｔ´  歯の模型
Ｔ１，Ｔ２  歯の底部
１０  Ｌ字型台座
１１  側面
１１１  固定溝
１２  桁
１３  第二定位ブロック
１４１  第一定位ブロック
１４２  枢設ブロック
１４２Ａ  枢設棒
１４２Ｂ  コネクタ
１４３  ユニバーサルジョイント
１４３Ａ  ボールバルブ
１４３Ｂ  軸
１４３Ｃ  ボールバルブ
１４３Ｄ  軸
１４３Ｅ  挟持部
１４３Ｆ  調整ボルト
１４３Ｇ  溝
１５，１５´  定位突起部
１５１  定位孔
１６，１６´  中心突起部
１６１  陥没部
１７  底辺
２０  第一微調整構造
２１  接触部
２２  調整ボタン
３０  第二微調整構造
３１  伸縮桿
３２  調整ボタン
４０  微調整装置
Ｈ，Ｖ  矢印
【図１】
0003133306.tif 000003
【図３】
0003133306.tif 000004
【図５】
0003133306.tif 000005
【図６】
0003133306.tif 000006
【図７】
0003133306.tif 000007
【図８】
0003133306.tif 000008
【図２】
0003133306.tif 000009
【図４】
0003133306.tif 000010